(57)【要約】【課題】新規格の光ディスクを含む複数の種類の光ディスクをより確実に判別できる光ディスク装置及び光ディスク判別方法を提供すること。【解決手段】光記録媒体の反射率を測定するステップと、前記光記録媒体から得られるＤＰＤ信号の振幅値を測定するステップと、前記光記録媒体のデータ領域から得られる第１のプッシュプル信号の振幅値を測定するステップと、前記光記録媒体のリードイン領域から得られる第２のプッシュプル信号の振幅値を測定するステップと、前記反射率、前記ＤＰＤ信号の前記振幅値、前第１のプッシュプル信号の前記振幅値、及び前第２のプッシュプル信号の前記振幅値に基づいて、前記光記録媒体の種類を判別するステップとを備える、光ディスク判別方法が提供される。【選択図】      図２
2008004229.tif 000002
【特許請求の範囲】
【請求項１】
光記録媒体の反射率を測定するステップと、
前記光記録媒体から得られるＤＰＤ信号の振幅値を測定するステップと、
前記光記録媒体のデータ領域から得られる第１のプッシュプル信号の振幅値を測定するステップと、
前記光記録媒体のリードイン領域から得られる第２のプッシュプル信号の振幅値を測定するステップと、
前記反射率、前記ＤＰＤ信号の前記振幅値、前第１のプッシュプル信号の前記振幅値、及び前第２のプッシュプル信号の前記振幅値に基づいて、前記光記録媒体の種類を判別するステップと
を備える、光ディスク判別方法。
【請求項２】
前記光記録媒体にレーザ光を照射し、その反射光を受光する表面層から記録層までの時間を計測するステップを更に含む、請求項１記載の光ディスク判別方法。
【請求項３】
前記判別するステップは、前記計測された時間を第１の所定の閾値と比較するステップを含む、請求項２記載の光ディスク判別方法。
【請求項４】
前記光記録媒体の種類を判別するステップは、
前記計測された時間が前記第１の所定の閾値よりも大きい場合、前記光記録媒体をＣＤの一種であると判別するステップと、
前記計測された時間が第１の所定の閾値以下の場合、前記光記録媒体をＤＶＤの一種であると判別するステップと
を含む、請求項３記載の光ディスク判別方法。
【請求項５】
前記光記録媒体の種類を判別するステップは、
前記反射率に対する前記第１のプッシュプル信号の前記振幅値の割合を所定の第２の閾値と比較するステップと、
前記割合が前記第２の所定の閾値よりも大きい場合、前記ＤＰＤ信号の前記振幅値を第３の所定の閾値と比較するステップと、
前記割合が前記第２の所定の閾値以下である場合、前記割合を第４の所定の閾値と比較するステップと、
前記第２のプッシュプル信号の前記振幅値に対する前記第１のプッシュプル信号の前記振幅値の割合を第５の所定の閾値と比較するステップと
を含む、請求項１乃至４のいずれかに記載の光ディスク判別方法。
【請求項６】
前記ＤＰＤ信号の前記振幅値を第３の所定の閾値と比較するステップは、
前記ＤＰＤ信号の前記振幅値が前記第３の所定の閾値よりも大きい場合、前記光ディスクはＤＶＤ−ＲＯＭであると判別するステップと、
前記ＤＰＤ信号の前記振幅値が第３の所定の閾値以下の場合、前記光ディスクは、ＨＤ  ＤＶＤ−ＲＯＭ、ＨＤ  ＤＶＤ−Ｒ、及びＨＤ  ＤＶＤ−ＲＷのうちのいずれか一つであると判別するステップと
を備える、請求項５に記載の光ディスク判別方法。
【請求項７】
前記割合を第４の所定の閾値と比較するステップは、
前記割合が前記第４の所定の閾値より大きい場合、前記光記録媒体をＤＶＤ−ＲＡＭと判別するステップ
を含む、請求項５又は６記載の光ディスク判別方法。
【請求項８】
前記第２のプッシュプル信号の前記振幅値に対する前記第１のプッシュプル信号の前記振幅値の前記割合を前記第５の所定の閾値と比較するステップは、
前記第２のプッシュプル信号の前記振幅値に対する前記第１のプッシュプル信号の前記振幅値の前記割合が、前記第５の所定の閾値よりも大きい場合、前記光記録媒体をＨＤ  ＤＶＤ−ＲＡＭと判別するステップと、
前記第２のプッシュプル信号の前記振幅値に対する前記第１のプッシュプル信号の前記振幅値の前記割合が、前記第５の所定の閾値以下である場合、前記光記録媒体を、ＤＶＤ−ＲＯＭ、ＤＶＤ−Ｒ、ＤＶＤ−ＲＷ、ＤＶＤ＋Ｒ、及びＤＶＤ＋ＲＷのうちのいずれか１つであると判別するステップと
を含む、請求項５乃至７のいずれかに記載の光ディスク判別方法。
【請求項９】
光記録媒体の反射率を測定するステップと、
前記光記録媒体から得られるＤＰＤ信号の振幅値を測定するステップと、
前記光記録媒体から得られるプッシュプル信号の振幅値を測定するステップと、
前記反射率に対する前記プッシュプル信号の前記振幅値の割合と、前記ＤＰＤ信号の前記振幅値とに基づいて、前記光記録媒体の種類を判別するステップと
を備える、光ディスク判別方法。
【請求項１０】
前記光記録媒体にレーザ光を照射し、その反射光を受光する表面層から記録層までの時間を計測するステップを更に含む、請求項９記載の光ディスク判別方法。
【請求項１１】
前記光記録媒体の種類を判別するステップは、前記計測された時間を第１の所定の閾値と比較するステップを含む、請求項１０記載の光ディスク判別方法。
【請求項１２】
前記光記録媒体の種類を判別するステップは、
前記反射率に対する前記プッシュプル信号の前記振幅値の前記割合を、第２の所定の閾値と比較するステップと、
前記ＤＰＤ信号の前記振幅値を第３の所定の閾値と比較するステップと
を含む、請求項９乃至１１記載の光ディスク判別方法。
【請求項１３】
前記光記録媒体の種類を判別するステップは、前記反射率に対する前記プッシュプル信号の前記振幅値の前記割合を第４の所定の閾値と比較するステップを更に含む、請求項１２記載の光ディスク判別方法。
【請求項１４】
前記プッシュプル信号の前記振幅値を測定するステップは、
前記光記録媒体のデータ領域から第１のプッシュプル信号の振幅値を測定するステップと、
前記光記録媒体のリードイン領域から第２のプッシュプル信号の振幅値を測定するステップとを含み、
前記光記録媒体の前記種類を判別するステップは、
前記第２のプッシュプル信号の前記振幅値に対する前記第１のプッシュプル信号の前記振幅値の割合を第５の所定の閾値と比較するステップを含む、
請求項９乃至１３記載の光ディスク判別方法。
【請求項１５】
光記録媒体にレーザ光を照射して反射光を受光するピックアップヘッドと、フォーカシング及びトラッキング制御機能とを有するピックアップヘッド制御部と、
前記光記録媒体からの前記レーザ光の反射率を測定する反射率測定部と、
前記光記録媒体から得られるＤＰＤ信号の振幅値を測定するＤＰＤ信号振幅測定部と、
前記光記録媒体のリードイン領域から得られる第１のプッシュプル信号の振幅値と、前記光記録媒体のデータ領域から得られる第２のプッシュプル信号の振幅値とを測定するプッシュプル信号振幅測定部と、
前記反射率、前記ＤＰＤ信号の前記振幅値、前記第１のプッシュプル信号の前記振幅値、及び前記第２のプッシュプル信号の前記振幅値に基づいて、前記光記録媒体の種類を判別するコントローラと
を備える、光ディスク装置。
【請求項１６】
前記ピックアップヘッド制御部は、前記ＤＰＤ信号と前記プッシュプル信号とを含む、トラック誤差信号を計算するトラック誤差信号検出部を含む、請求項１５記載の光ディスク装置。
【請求項１７】
前記ピックアップヘッド制御部は、前記光記録媒体から得られるフォーカス誤差信号を計算するフォーカス誤差信号測定部を含む、請求項１５又は１６記載の光ディスク装置。
【請求項１８】
前記ピックアップヘッド制御部は、前記ピックアップヘッドを制御するサーボ制御部を含む、請求項１５乃至１７のいずれかに記載の光ディスク装置。
【発明の詳細な説明】
【技術分野】
【０００１】
本発明は、一般に、光ディスク装置及び光ディスク判別方法に関し、特に、新規格の光ディスクを含む複数種類の光ディスクを判別できる光ディスク装置及び光ディスク判別方法に関する。
【背景技術】
【０００２】
現在、ＣＤやＤＶＤといった様々な種類の光ディスクが市場に普及している。ＣＤには、例えば、ＣＤ−Ｒ（Recordable）、ＣＤ−ＲＯＭ（Read Only Memory）、及びＣＤ−ＲＷ（ReWritable）等がある。ＤＶＤには、例えば、ＤＶＤ−ＲＯＭ（Digital Versatile Disk Read Only Memory）、ＤＶＤ−ＲＡＭ、ＤＶＤ−ＲＷ、及びＤＶＤ＋ＲＷ等がある。また、近年では、より波長の短い青紫色レーザを用いるＨＤ  ＤＶＤといった、新規格の光ディスク（「次世代ＤＶＤ」とも称される）が開発されている。
【０００３】
光ディスクを再生／記録する際には、まず、光ディスクを光ディスク装置に挿入する。挿入された光ディスクを再生／記録するためには、光ディスクの種類を判別する必要がある。これは、光ディスクの種類によって、データを再生／記録する方法が異なるからである。このため、光ディスク装置に挿入された光ディスクの種類を判別する様々な方法が提案されている。光ディスクの種類を判別する方法の一例としては、プッシュプル方式のトラッキング誤差信号振幅を所定の閾値と比較し、その比較結果に応じて光ディスクの種類を判別する方法がある（例えば、特許文献１参照）。
【特許文献１】特開２００２−３１２９３３号公報
【発明の開示】
【発明が解決しようとする課題】
【０００４】
ところで、光ディスクにレーザ光を照射したときの反射率は、光ディスクの種類によって異なる。また、同じ種類の光ディスクであっても、個々の光ディスクによって、反射率は必ずしも同一の値ではないことがある。反射率が異なると、光ディスクから得られる信号（例えば、トラッキング誤差信号）の振幅も異なってくる。
【０００５】
また、上述したように、近年では、ＨＤ  ＤＶＤといった新規格の光ディスクが開発されている。従って、光ディスクの種類を判別するためには、ＣＤやＤＶＤといった従来の光ディスクに加えて、新規格の光ディスクも判別する必要が生じる。
【０００６】
そこで、本発明は、新規格の光ディスクを含む多様な種類の光ディスクをより確実に判別できる光ディスク装置及び光ディスク判別方法を提供することを目的とする。
【課題を解決するための手段】
【０００７】
上記課題を解決するために、本発明の一つの面によれば、光記録媒体の反射率を測定するステップと、前記光記録媒体から得られるＤＰＤ信号の振幅値を測定するステップと、前記光記録媒体のデータ領域から得られる第１のプッシュプル信号の振幅値を測定するステップと、前記光記録媒体のリードイン領域から得られる第２のプッシュプル信号の振幅値を測定するステップと、前記反射率、前記ＤＰＤ信号の前記振幅値、前第１のプッシュプル信号の前記振幅値、及び前第２のプッシュプル信号の前記振幅値に基づいて、前記光記録媒体の種類を判別するステップとを備える、光ディスク判別方法が提供される。
【０００８】
また、本発明の別の面によれば、光記録媒体の反射率を測定するステップと、前記光記録媒体から得られるＤＰＤ信号の振幅値を測定するステップと、前記光記録媒体から得られるプッシュプル信号の振幅値を測定するステップと、前記反射率に対する前記プッシュプル信号の前記振幅値の割合と、前記ＤＰＤ信号の前記振幅値とに基づいて、前記光記録媒体の種類を判別するステップとを備える、光ディスク判別方法が提供される。
【０００９】
更に、本発明の別の面によれば、光記録媒体にレーザ光を照射して反射光を受光するピックアップヘッドと、フォーカシング及びトラッキング制御機能とを有するピックアップヘッド制御部と、前記光記録媒体からの前記レーザ光の反射率を測定する反射率測定部と、前記光記録媒体から得られるＤＰＤ信号の振幅値を測定するＤＰＤ信号振幅測定部と、前記光記録媒体のリードイン領域から得られる第１のプッシュプル信号の振幅値と、前記光記録媒体のデータ領域から得られる第２のプッシュプル信号の振幅値とを測定するプッシュプル信号振幅測定部と、前記反射率、前記ＤＰＤ信号の前記振幅値、前記第１のプッシュプル信号の前記振幅値、及び前記第２のプッシュプル信号の前記振幅値に基づいて、前記光記録媒体の種類を判別するコントローラとを備える、光ディスク装置が提供される。
【発明の効果】
【００１０】
本発明によれば、新規格の光ディスクを含む、多様な種類の光ディスクをより確実に判別できる。
【発明を実施するための最良の形態】
【００１１】
以下、本発明の実施形態について図面を参照しながら説明する。
【００１２】
図１は、本発明の一実施形態による、光ディスク装置１００の概略構成を示すブロック図である。なお、図１は、光ディスク装置１００に光ディスク１が挿入された状態を示している。
【００１３】
光ディスク装置１００は、スピンドルモータ２、ピックアップヘッド（ＰＵＨ）３、対物レンズ４、反射率測定部５、トラック誤差信号検出部６、フォーカス誤差信号測定部７、位相差検出（ＤＰＤ：Differential Phase Detection）信号振幅測定部８、プッシュプル（ＰＰ）信号振幅測定部９、コントローラ１０、及びサーボ制御部１１を備える。
【００１４】
スピンドルモータ２は、光ディスク装置１００に挿入された光ディスク１を回転させるためのモータである。光ディスク１の回転を制御する方法としては、ＣＬＶ（constant linear velocity）、ＣＡＶ（constant angular velocity）、ＺＣＬＶ（zoned constant linear velocity）、又はＺＣＡＶ（zoned constant angular velocity）等を適宜用いることができる。
【００１５】
ピックアップヘッド３は、例えば、半導体レーザといった光源、対物レンズ４を支持するレンズアクチュエータ（フォーカスアクチュエータ、トラッキングアクチュエータ等）及び、光ディスク１からの反射光を検出する光検出器等を含む。対物レンズ４は、半導体レーザといった光源から出射されたレーザ光を、光ディスク１の記録面上に合焦させる。光ディスク１の記録面から反射された光は、対物レンズ４を介してピックアップヘッド３の光検出器等に入射する。
【００１６】
反射率測定部５は、光ディスク１の反射率を測定する。トラック誤差信号検出部６は、ＤＰＤ方式、及びプッシュプル方式のトラック誤差信号を計算する検出部である。フォーカス誤差信号測定部７は、フォーカス誤差信号を計算する検出部である。フォーカス誤差信号は、フォーカス誤差信号検出部７からコントローラ部１０及びサーボ制御部１１に供給される。ＤＰＤ信号振幅測定部８は、フォーカスオン時のトラック誤差信号がＤＰＤ信号である場合に、ＤＰＤ信号の振幅値を測定する測定部である。ＰＰ信号振幅測定部９は、フォーカスオン時のトラック誤差信号がプッシュプル信号（ＰＰ信号）である場合に、ＰＰ信号の振幅値を測定する測定部である。ＰＰ信号の振幅値は、光ディスク１のデータ領域及びリードイン（システムリードイン）領域の各々から獲得され得る。
【００１７】
コントローラ１０は、反射率測定部５によって測定された光ディスク１の反射率、ＤＰＤ信号振幅測定部８によって計算されたＤＰＤ信号の振幅値、及び、ＰＰ信号振幅測定部９によって計算されたＰＰ信号の振幅値に基づいて、光ディスク１の種類を判別する。より詳細には、コントローラ１０は、反射率に対するＰＰ信号の振幅値の割合を所定の閾値と比較すること、及び、ＤＰＤ信号の振幅値を別の所定の閾値と比較することで、光ディスク１の種類を判別する。また、コントローラ１０は、データ領域から得られたＰＰ信号の振幅値と、リードイン領域から得られたＰＰ信号の振幅値とを、それぞれ対応する所定の閾値と比較し得る。また、コントローラ１０は、トラック誤差信号検出部６及びサーボ制御部１１を制御する。サーボ制御部１１は、スピンドルモータ２、及びピックアップヘッド３を制御する。
【００１８】
次に、図２を参照しつつ、本発明の一実施形態による光ディスク判別方法について説明する。この光ディスク判別方法は、上述した光ディスク装置１００に適用することができる。ここでは、説明の都合上、光ディスク判別方法を光ディスク装置１００に適用した場合を例に説明する。
【００１９】
図２は、本発明の一実施形態による光ディスク判別方法２００を説明するためのフローチャートである。
【００２０】
まず、光ディスク１が光ディスク装置１００に挿入されると、スピンドルモータ２は光ディスク１を回転させる（ステップＳ２０２）。次に、ピックアップヘッド３は、ＤＶＤ等に用いられる赤色レーザを点灯する（ステップＳ２０４）。次に、ピックアップヘッド３を光ディスク１のデータ領域に移動させる（ステップＳ２０６）。その後、ピックアップヘッド３から光ディスク１に赤色レーザを照射し、光ディスク１からの反射光（又は、例えば、フォーカス誤差信号）が得られる表面層から記録層までの時間を測定する（ステップＳ２０８）。測定された時間は、所定の閾値（ＴＨ１）と比較される（ステップＳ２１０）。測定された時間が所定の閾値（ＴＨ１）よりも大きい場合（ステップＳ２１０でＹＥＳ）、光ディスク１はＣＤの一種であると判別される（ステップＳ２１２）。一方、測定された時間が所定の閾値（ＴＨ１）以下である場合（ステップＳ２１０でＮＯ）、光ディスク１はＤＶＤの一種（ＨＤ  ＤＶＤといった次世代ＤＶＤを含む）であると判別され、処理はステップＳ２１４に進む。なお、ステップＳ２１０における判別は、ＣＤとＤＶＤとで記録層が設けられる位置が、その厚み方向において異なることに依拠している。このようにして、光ディスク１は、ＣＤの一種であるのか、ＤＶＤの一種であるのかが判別される。
【００２１】
ステップＳ２１４では、ピックアップヘッド３のレンズアクチュエータ（フォーカスアクチュエータ）を上下させて反射率（ＲＥ）を測定する。次に、光ディスク１の記録面に対するフォーカス制御を行う（ステップＳ２１６）。ステップＳ２１８では、トラック誤差信号を位相差検出方式（ＤＰＤ方式）に設定して、ＤＰＤ信号の振幅値（ＤＰＤ）を測定する。また、ステップＳ２２０では、トラック誤差信号をプッシュプル方式（ＰＰ方式）に設定してＰＰ信号の振幅値（ＰＰ１）を測定する。
【００２２】
ステップＳ２２２では、ステップＳ２１４で得られた反射率（ＲＥ）と、ステップＳ２２０で測定されたＰＰ信号の振幅値（ＰＰ１）とに基づいて、反射率（ＲＥ）に対するＰＰ信号の振幅値（ＰＰ１）の割合を計算し、その割合（ＰＰ１／ＲＥ）を所定の閾値（ＴＨ２）と比較する。計算された値（ＰＰ１／ＲＥ）が所定の閾値（ＴＨ２）より大きい場合（ステップＳ２２２でＹＥＳ）、ＤＰＤ信号の振幅値（ＤＰＤ）が所定の閾値（ＴＨ３）と比較される（ステップＳ２２４）。ＤＰＤ信号の振幅値（ＤＰＤ）が所定の閾値（ＴＨ３）以下である場合（ステップＳ２２４でＮＯ）、光ディスク１は、「ＨＤ  ＤＶＤ−ＲＯＭ」、「ＨＤ  ＤＶＤ−Ｒ」、及び「ＨＤ  ＤＶＤ−ＲＷ」のうちのいずれか１つであると判別される（ステップＳ２２６）。一方、ＤＰＤ信号の振幅値（ＤＰＤ）が所定の閾値（ＴＨ３）より大きい場合（ステップＳ２２４でＹＥＳ）、光ディスク１は「ＤＶＤ−ＲＯＭ」であると判別される（ステップＳ２２８）。
【００２３】
また、ステップＳ２２２で、計算された値（ＰＰ１／ＲＥ）が所定の閾値（ＴＨ２）以下である場合（ステップＳ２２２でＮＯ）、反射率に対するＰＰ信号の振幅値の割合（ＰＰ１／ＲＥ）を所定の閾値（ＴＨ４）と比較する（ステップＳ２３０）。反射率に対するＰＰ信号の振幅値の割合（ＰＰ１／ＲＥ）が所定の閾値（ＴＨ４）より大きい場合（ステップＳ２３０でＹＥＳ）、光ディスク１は「ＤＶＤ−ＲＡＭ」であると判別される。一方、反射率に対するＰＰ信号の振幅値の割合（ＰＰ１／ＲＥ）が所定の閾値（ＴＨ４）以下である場合（ステップＳ２３０でＮＯ）、処理はステップＳ２３４に進む。
【００２４】
ステップＳ２３４では、ピックアップヘッド３を光ディスク１のリードイン（システムリードイン）領域に移動させる。次に、リードイン領域におけるＰＰ信号の振幅値（ＰＰ２）を測定する（ステップＳ２３６）。光ディスク１のデータ領域のトラックピッチと、光ディスク１のリードイン（システムリードイン）領域のトラックピッチとは、異なり得る。従って、データ領域におけるＰＰ信号の振幅値（ＰＰ１）とリードイン領域におけるＰＰ信号の振幅値（ＰＰ２）とは異なり得る。次に、リードイン領域におけるＰＰ信号の振幅値（ＰＰ２）に対する、データ領域におけるＰＰ信号の振幅値（ＰＰ１）の割合を計算し、その割合（ＰＰ１／ＰＰ２）を所定の閾値（ＴＨ５）と比較する（ステップＳ２３８）。その割合（ＰＰ１／ＰＰ２）が所定の閾値（ＴＨ５）以下である場合（ステップＳ２３８でＮＯ）、光ディスク１は、「ＤＶＤ−ＲＯＭ」、「ＤＶＤ−Ｒ」、「ＤＶＤ−ＲＷ」、「ＤＶＤ＋Ｒ」、及び「ＤＶＤ＋ＲＷ」のうちのいずれか１つであると判別される（ステップＳ２４０）。一方、その割合（ＰＰ１／ＰＰ２）が所定の閾値（ＴＨ５）より大きい場合（ステップＳ２３８でＹＥＳ）、光ディスク１は「ＨＤ  ＤＶＤ−ＲＡＭ」であると判別される（ステップＳ２４２）。このようにして、光ディスク装置１００に挿入された光ディスク１の種類が判別される。
【００２５】
上述したように、本願発明においては、反射率（ＲＥ）に対するＰＰ信号の振幅値（ＰＰ１、ＰＰ２）の割合が所定の閾値（ＴＨ２、ＴＨ４）と比較される。また、その比較結果に応じて、ＤＰＤ信号の振幅値（ＤＰＤ）が所定の閾値（ＴＨ３）と比較される。さらに、光ディスクのリードイン領域から得られるＰＰ信号の振幅値（ＰＰ２）に対する、光ディスクのデータ領域から得られるＰＰ信号の振幅値（ＰＰ１）の割合が求められ、その割合が所定の閾値（ＴＨ５）と比較される。換言すれば、本願発明では、反射率（ＲＥ）、ＰＰ信号の振幅値（ＰＰ１、ＰＰ２）、及びＤＰＤ信号の振幅値（ＤＰＤ）を組み合わせて用いて、光ディスクの種類が判別される。従って、ＨＤ  ＤＶＤといった新規格の光ディスクを含む多様な種類の光ディスクを、より確実に判別することができる。
【００２６】
ここで、図３を参照しつつ、ステップＳ２０６で使用したデータ領域、及び、ステップＳ２３４で使用したリードイン領域について説明する。図３は、各種の光ディスクのリードイン領域及びデータ領域の位置を説明するための概略図である。
【００２７】
ステップＳ２０６において、ピックアップヘッド３を光ディスク１のデータ領域に移動させる際には、ピックアップヘッド３を光ディスク１の所定の半径位置に移動させてもよい。例えば、各種の光ディスク間で共通してデータ領域が設けられている半径位置にピックアップヘッド３を移動させ得る。図３を参照するに、半径位置２４．１ｍｍ（点線Ｘ−Ｘで示される位置）においては、光ディスクの種類に関わらず、データ領域が設けられていることが分かる。従って、ピックアップヘッド３を移動させる位置を、例えば半径位置２４．１ｍｍに設定してもよい。
【００２８】
また、ステップＳ２３４において、ピックアップヘッド３を光ディスク１のリードイン領域に移動させる際にも、ピックアップヘッド３を光ディスク１の所定の半径位置に移動させてもよい。例えば、各種の光ディスク間で共通してリードイン領域が設けられている半径位置にピックアップヘッド３を移動させ得る。図３を参照するに、半径位置２３．５ｍｍ（点線Ｙ−Ｙで示される位置）においては、光ディスクの種類に関わらず、リードイン領域が設けられていることが分かる。従って、ピックアップヘッド３を移動させる位置を、例えば半径位置２３．５ｍｍに設定してもよい。
【００２９】
なお、図２に示したフローチャート２００は、本発明の一実施形態に過ぎない点に留意すべきである。従って、フローチャート２００に含まれる各ステップは、必ずしも図２に示された順序に限定されるものではない。より具体的には、フローチャート２００の一部のステップの順序を変更してもよい。例えば、図２のフローチャート２００では、ＤＰＤ信号の振幅値（ＤＰＤ）を測定した後（ステップＳ２１８）、ＰＰ信号の振幅値（ＰＰ１）を測定している（ステップＳ２２０）。しかし、ＤＰＤ信号の振幅値（ＤＰＤ）の測定に先立って、ＰＰ信号の振幅値（ＰＰ１）を測定してもよい。また、図２のフローチャート２００では、反射率に対するＰＰ信号の振幅値の割合（ＰＰ１／ＲＥ）を所定の閾値（ＴＨ４）と比較した後（ステップＳ２３０）、リードイン領域におけるＰＰ信号の振幅値（ＰＰ２）を測定している（ステップＳ２３６）。しかし、リードイン領域におけるＰＰ信号の振幅値（ＰＰ２）を、例えば、データ領域におけるＰＰ信号の振幅値（ＰＰ１）を測定した直後に測定してもよい。
【００３０】
また、図２に示すフローチャート２００では、複数種類の所定の閾値（ＴＨ１乃至ＴＨ５）が使用されている。これらの所定の閾値は、適宜設定されるものとする。
【００３１】
なお、上述したように、図２に示すフローチャート２００のステップＳ２０８、Ｓ２１０、及びＳ２１４では、光ディスク１がＣＤの一種であるか、ＤＶＤの一種（ＨＤ  ＤＶＤといった新規格の光ディスクを含む）であるかが判別される。フローチャート２００では、ピックアップヘッド３から光ディスク１に赤色レーザを照射し、その反射光を受光する表面層から記録層までの時間を測定し、測定された時間を所定の閾値（ＴＨ１）と比較する判別方法が用いられている。しかし、光ディスク装置１００に挿入された光ディスク１が、ＣＤの一種であるか、ＤＶＤの一種であるかを判別する方法は、この判別方法に限定されるものではない。ＣＤとＤＶＤを判別する方法は複数提案されている。従って、それらの判別方法から適当な方法を選択して採用してもよい。また、ステップＳ２０８を複数回繰り返して、測定された時間の平均値を取り、その平均値を閾値（ＴＨ１）と比較してもよい。
【００３２】
さらに、上記の説明においては、光ディスク１が光ディスク装置１００に挿入された後に、光ディスク１の種類を判別するまでの動作が主に記載されている。しかし、本発明の一実施形態による光ディスク装置１００は、光ディスク１を、その判別された種類に応じて、再生／記録できることは言うまでもない。なお、ステップＳ２０４では赤色レーザが用いられている。しかし、ステップＳ２２６において、光ディスク１が、例えば「ＨＤ  ＤＶＤ−ＲＯＭ」といった新規格のＤＶＤであると判別された場合、当該光ディスク１を再生／記録する際には、青色レーザが用いられる。
【００３３】
なお、本発明は、上記実施形態そのままに限定されるものではない。本発明は、実施段階では、その要旨を逸脱しない範囲で構成要素を変更して具現化できる。
【００３４】
また、上記実施形態に開示されている複数の構成要素を適宜に組み合わせることで、種々の発明を形成できる。例えば、実施形態に示される全構成要素から幾つかの構成要素を削除してもよい。更に、異なる実施形態にわたる構成要素を適宜組み合わせてもよい。
【図面の簡単な説明】
【００３５】
【図１】本発明の一実施形態による光ディスク装置の概略構成を示すブロック図である。
【図２】本発明の一実施形態による光ディスク判別方法を説明するためのフローチャートである。
【図３】各種の光ディスクのリードイン領域及びデータ領域の半径位置を説明するための概略図である。
【符号の説明】
【００３６】
１…光ディスク、２…スピンドルモータ、３…ピックアップヘッド、４…対物レンズ、５…反射率測定部、６…トラック誤差信号検出部、７…フォーカス誤差信号検出部、８…ＤＰＤ信号振幅測定部、９…ＰＰ信号振幅測定部、１０…コントローラ、１１…サーボ制御部、１００…光ディスク装置。
【図１】
2008004229.tif 000003
【図２】
2008004229.tif 000004
【図３】
2008004229.tif 000005